(57)【特許請求の範囲】
【請求項１】
躯体に壁面パネルを取り付ける壁面パネルの取付方法であって、
前記躯体に取り付けられ、保持部でコロを前記躯体の前後方向へ転動可能に支持する複数の第１継手で支持された複数の前記コロに、前記壁面パネルの裏面に取り付けられ、前記コロが前記壁面パネルの前後方向へ転動可能に挿入される凹部を有した複数の第２継手を乗せ掛け、前記各凹部内に前記コロをそれぞれ位置させて前記第１継手と前記第２継手とに前記コロを狭持させることにより、前記躯体に前記壁面パネルを取り付ける、
ことを特徴とする壁面パネルの取付方法。
【請求項２】
請求項１に記載の壁面パネルの取付方法において、
前記第１継手の保持部の、前記躯体の前後方向の所定位置に前記コロを転動可能に位置決めするとともに、前記第２継手の凹部の、前記壁面パネルの前後方向の所定位置に前記コロを転動可能に位置決めする、
ことを特徴とする壁面パネルの取付方法。
【請求項３】
躯体に壁面パネルを取り付ける壁面パネルの取付方法であって、
前記躯体に取り付けられ、保持部でコロを前記躯体の前後方向へ転動可能に支持する第１継手と、前記壁面パネルの裏面に取り付けられ、前記コロが前記壁面パネルの前後方向へ転動可能に挿通される孔を有した第２継手とからなる複数の組の、前記保持部および前記孔へ前記コロをそれぞれ差し込んで前記第１継手と前記第２継手とに前記コロを狭持させることにより、前記躯体に前記壁面パネルを取り付ける、
ことを特徴とする壁面パネルの取付方法。
【請求項４】
請求項３に記載の壁面パネルの取付方法において、
前記第１継手の保持部の、前記躯体の前後方向の所定位置に前記コロを転動可能に位置決めするとともに、前記第２継手の孔の、前記壁面パネルの前後方向の所定位置に前記コロを転動可能に位置決めする、
ことを特徴とする壁面パネルの取付方法。
【請求項５】
躯体に壁面パネルを取り付ける壁面パネルの取付方法であって、
前記壁面パネルの裏面に取り付けられ、保持部でコロを前記壁面パネルの前後方向へ転動可能に支持する複数の第１継手で支持された複数の前記コロを、前記躯体に取り付けられ、前記コロが前記躯体の前後方向へ転動可能に挿入される凹部を有した複数の第２継手に乗せ掛け、前記各凹部内に前記コロをそれぞれ位置させて前記第１継手と前記第２継手とに前記コロを狭持させることにより、前記躯体に前記壁面パネルを取り付ける、
ことを特徴とする壁面パネルの取付方法。
【請求項６】
請求項５に記載の壁面パネルの取付方法において、
前記第１継手の保持部の、前記壁面パネルの前後方向の所定位置に前記コロを転動可能に位置決めするとともに、前記第２継手の凹部の、前記躯体の前後方向の所定位置に前記コロを転動可能に位置決めする、
ことを特徴とする壁面パネルの取付方法。
【請求項７】
躯体に壁面パネルを取り付ける壁面パネルの取付方法であって、
前記壁面パネルの裏面に取り付けられ、保持部でコロを前記壁面パネルの前後方向へ転動可能に支持する第１継手と、前記躯体に取り付けられ、前記コロが前記躯体の前後方向へ転動可能に挿通される孔を有した第２継手とからなる複数の組の、前記保持部および前記孔へ前記コロをそれぞれ差し込んで前記第１継手と前記第２継手とに前記コロを狭持させることにより、前記躯体に前記壁面パネルを取り付ける、
ことを特徴とする壁面パネルの取付方法。
【請求項８】
請求項７に記載の壁面パネルの取付方法において、
前記第１継手の保持部の、前記壁面パネルの前後方向の所定位置に前記コロを転動可能に位置決めするとともに、前記第２継手の孔の、前記躯体の前後方向の所定位置に前記コロを転動可能に位置決めする、
ことを特徴とする壁面パネルの取付方法。
【請求項９】
躯体に壁面パネルを取り付ける壁面パネルの取付方法であって、
前記躯体に取り付けられ、保持部でコロを前記躯体の前後方向へ転動可能に支持する複数の第１継手で支持された複数の前記コロに、前記複数のコロが前記躯体の前後方向へ転動可能に挿入される複数の凹部を有した第２継手を乗せ掛け、前記各凹部内に前記コロをそれぞれ位置させて前記第１継手と前記第２継手とに前記コロを狭持させることにより、前記躯体に前記複数の第２継手を取り付け、
前記複数の第２継手に前記壁面パネルを取り付ける、
ことを特徴とする壁面パネルの取付方法。
【請求項１０】
請求項９に記載の壁面パネルの取付方法において、
前記第１継手の保持部および前記第２継手の凹部の、前記躯体の前後方向の所定位置に前記コロを転動可能に位置決めする、
ことを特徴とする壁面パネルの取付方法。
【請求項１１】
躯体に壁面パネルを取り付ける壁面パネルの取付方法であって、
前記躯体に取り付けられ、保持部でコロを前記躯体の前後方向へ転動可能に支持する複数の第１継手と、前記コロが前記躯体の前後方向へ転動可能に挿通される複数の孔を有した第２継手とからなる組の、前記各保持部および前記各孔へ前記コロをそれぞれ差し込んで前記第１継手と前記第２継手とに前記コロを狭持させることにより、前記躯体に前記複数の第２継手を取り付け、
前記複数の第２継手に前記壁面パネルを取り付ける、
ことを特徴とする壁面パネルの取付方法。
【請求項１２】
請求項１１に記載の壁面パネルの取付方法において、
前記第１継手の保持部および前記第２継手の孔の、前記躯体の前後方向の所定位置に前記コロを転動可能に位置決めする、
ことを特徴とする壁面パネルの取付方法。
【発明の詳細な説明】
【技術分野】
【０００１】
この発明は、躯体に壁面パネルを取り付ける壁面パネルの取付方法に関するものである。
【背景技術】
【０００２】
従来の壁面パネルの取付方法の一例として、図２３の平面図に相当する説明図に示すように、躯体としての内壁パネル１の外面（室外側面）に躯体としても機能する支柱材２を、支柱材２の一端面を内壁パネル１に当接（密接）させた状態に取付ねじ（タップねじ）３で取り付け、支柱材２の他端面に、支柱材２を避ける状態で断熱材５を取り付けた外壁パネルなどの壁面パネル４の裏面を当接（密接）させた状態に取付ねじ（タップねじ）６で取り付ける。
なお、断熱材は、内壁パネル１と壁面パネル４との間に充填させてもよい（例えば、非特許文献１参照。）。
【０００３】
【非特許文献１】カタログ「ファイヤロック  スーパーフォーム」  日東紡  平成１７年１２月作成
【発明の開示】
【発明が解決しようとする課題】
【０００４】
上記したように、内壁パネル１と壁面パネル４とを、内壁パネル１と壁面パネル４とに支柱材２を取付ねじ３，６で密接（密着）させて連結すると、取付ねじ３，６および密接部分を介して熱、音が伝達されるので、壁面パネル４に作用する熱、音が取付ねじ６、支柱材２、取付ねじ３および内壁パネル１を介して室内へ伝達されるため、断熱遮音効果の得られないものであった。
【０００５】
この発明は、上記したような不都合を解消するためになされたもので、断熱遮音効果の得られる壁面パネルの取付方法を提供するものである。
【課題を解決するための手段】
【０００６】
この発明は、以下のような発明である。
（１）躯体に壁面パネルを取り付ける壁面パネルの取付方法であって、前記躯体に取り付けられ、保持部でコロを前記躯体の前後方向へ転動可能に支持する複数の第１継手で支持された複数の前記コロに、前記壁面パネルの裏面に取り付けられ、前記コロが前記壁面パネルの前後方向へ転動可能に挿入される凹部を有した複数の第２継手を乗せ掛け、前記各凹部内に前記コロをそれぞれ位置させて前記第１継手と前記第２継手とに前記コロを狭持させることにより、前記躯体に前記壁面パネルを取り付けることを特徴とする。
（２）（１）に記載の壁面パネルの取付方法において、前記第１継手の保持部の、前記躯体の前後方向の所定位置に前記コロを転動可能に位置決めするとともに、前記第２継手の凹部の、前記壁面パネルの前後方向の所定位置に前記コロを転動可能に位置決めすることを特徴とする。
（３）躯体に壁面パネルを取り付ける壁面パネルの取付方法であって、前記躯体に取り付けられ、保持部でコロを前記躯体の前後方向へ転動可能に支持する第１継手と、前記壁面パネルの裏面に取り付けられ、前記コロが前記壁面パネルの前後方向へ転動可能に挿通される孔を有した第２継手とからなる複数の組の、前記保持部および前記孔へ前記コロをそれぞれ差し込んで前記第１継手と前記第２継手とに前記コロを狭持させることにより、前記躯体に前記壁面パネルを取り付けることを特徴とする。
（４）（３）に記載の壁面パネルの取付方法において、前記第１継手の保持部の、前記躯体の前後方向の所定位置に前記コロを転動可能に位置決めするとともに、前記第２継手の孔の、前記壁面パネルの前後方向の所定位置に前記コロを転動可能に位置決めすることを特徴とする。
（５）躯体に壁面パネルを取り付ける壁面パネルの取付方法であって、前記壁面パネルの裏面に取り付けられ、保持部でコロを前記壁面パネルの前後方向へ転動可能に支持する複数の第１継手で支持された複数の前記コロを、前記躯体に取り付けられ、前記コロが前記躯体の前後方向へ転動可能に挿入される凹部を有した複数の第２継手に乗せ掛け、前記各凹部内に前記コロをそれぞれ位置させて前記第１継手と前記第２継手とに前記コロを狭持させることにより、前記躯体に前記壁面パネルを取り付けることを特徴とする。
（６）（５）に記載の壁面パネルの取付方法において、前記第１継手の保持部の、前記壁面パネルの前後方向の所定位置に前記コロを転動可能に位置決めするとともに、前記第２継手の凹部の、前記躯体の前後方向の所定位置に前記コロを転動可能に位置決めすることを特徴とする。
（７）躯体に壁面パネルを取り付ける壁面パネルの取付方法であって、前記壁面パネルの裏面に取り付けられ、保持部でコロを前記壁面パネルの前後方向へ転動可能に支持する第１継手と、前記躯体に取り付けられ、前記コロが前記躯体の前後方向へ転動可能に挿通される孔を有した第２継手とからなる複数の組の、前記保持部および前記孔へ前記コロをそれぞれ差し込んで前記第１継手と前記第２継手とに前記コロを狭持させることにより、前記躯体に前記壁面パネルを取り付けることを特徴とする。
（８）（７）に記載の壁面パネルの取付方法において、前記第１継手の保持部の、前記壁面パネルの前後方向の所定位置に前記コロを転動可能に位置決めするとともに、前記第２継手の孔の、前記躯体の前後方向の所定位置に前記コロを転動可能に位置決めすることを特徴とする。
（９）躯体に壁面パネルを取り付ける壁面パネルの取付方法であって、前記躯体に取り付けられ、保持部でコロを前記躯体の前後方向へ転動可能に支持する複数の第１継手で支持された複数の前記コロに、前記複数のコロが前記躯体の前後方向へ転動可能に挿入される複数の凹部を有した第２継手を乗せ掛け、前記各凹部内に前記コロをそれぞれ位置させて前記第１継手と前記第２継手とに前記コロを狭持させることにより、前記躯体に前記複数の第２継手を取り付け、前記複数の第２継手に前記壁面パネルを取り付けることを特徴とする。
（１０）（９）に記載の壁面パネルの取付方法において、前記第１継手の保持部および前記第２継手の凹部の、前記躯体の前後方向の所定位置に前記コロを転動可能に位置決めすることを特徴とする。
（１１）躯体に壁面パネルを取り付ける壁面パネルの取付方法であって、前記躯体に取り付けられ、保持部でコロを前記躯体の前後方向へ転動可能に支持する複数の第１継手と、前記コロが前記躯体の前後方向へ転動可能に挿通される複数の孔を有した第２継手とからなる組の、前記各保持部および前記各孔へ前記コロをそれぞれ差し込んで前記第１継手と前記第２継手とに前記コロを狭持させることにより、前記躯体に前記複数の第２継手を取り付け、前記複数の第２継手に前記壁面パネルを取り付けることを特徴とする。
（１２）（１１）に記載の壁面パネルの取付方法において、前記第１継手の保持部および前記第２継手の孔の、前記躯体の前後方向の所定位置に前記コロを転動可能に位置決めすることを特徴とする。
【発明の効果】
【０００７】
この発明によれば、コロが転動する第１継手および第２継手で躯体に対して壁面パネルを取り付けるので、コロと第１継手および第２継手とが線接触となって接触部分少なくなることにより、熱が伝達されにくくなり、断熱効果が得られる。
また、コロが転動することにより、第１継手に対して第２継手が移動するので、地震や音圧による振動の伝達をコロの転動で逃がすことによって免震構造となり、これまで困難であった地震波や低周波音の遮断特性が向上し、遮音効果が得られる。
さらに、第１継手の保持部、および、第２継手の凹部または孔の、所定位置にコロを転動可能に位置決めするので、地震や音圧による振動などが壁面パネルに作用しない通常の状態では、躯体と壁面パネルとの間隔を一定に保つことができる。
【発明を実施するための最良の形態】
【０００８】
以下、この発明の実施例を図に基づいて説明する。
【０００９】
図１はこの発明の第１実施例である壁面パネルの取付方法に使用する第１継手、第２継手、コロなどを示す分解斜視図、図２（ａ）はこの発明の第１実施例である壁面パネルの取付方法で使用する壁面パネルの裏面図、図２（ｂ）は図２（ａ）に示した壁面パネルの右側面図、図３（ａ）はこの発明の第１実施例である壁面パネルの取付方法で壁面パネルを取り付けた状態の正面図に相当する説明図、図３（ｂ）は図３（ａ）に示した壁面パネルを取り付けた状態の右側面図に相当する説明図、図４はこの発明の第１実施例である壁面パネルの取付方法で壁面パネルを取り付けた状態の平面図に相当する説明図、図５はこの発明の第１実施例である壁面パネルの取付方法で壁面パネルを取り付けた状態の右側面図に相当する説明図、図６（ａ）はこの発明の第１実施例である壁面パネルの取付方法における第１継手とコロとの位置関係を示す説明図、図６（ｂ）はこの発明の第１実施例である壁面パネルの取付方法における第２継手とコロとの位置関係を示す説明図、図７はコロのメカニズムを示す説明図である。
なお、以下の実施例は、例えば、遮音壁を構築する場合のものである。
【００１０】
図１において、２１は躯体として機能する、平断面が角張ったＣ字形の支柱材を示し、図３（ａ），（ｂ）に示すように、例えば、４００ｍｍの間隔に立てた状態に設ける。
なお、住宅などの断熱遮音壁構造とする場合は、図４および図５に示すように、躯体としての内壁パネル１１の外面（室外側面）に、例えば、４００ｍｍの間隔に取付ねじ（タップねじ）２２で縦方向（垂直方向）に取り付けられる。
３１は第１継手を示し、縦方向（垂直方向）に起立して対面する矩形状の２つの支持片３２Ａと、この２つの支持片３２Ａの一端（後端）を連結し、ボルト３３およびナット３４によって支柱材２１に取り付けられる取付片３２Ｂとで構成されている。
そして、２つの支持片３２Ａには、保持部として機能する円形孔３２ａが同一中心線上に設けられている。
【００１１】
４１は第２継手を示し、縦方向（垂直方向）に起立し、後側の下側に、下側へ開放する凹部４１ａが設けられている。
この凹部４１ａは、上側が、後述するコロ５１を構成する軸部５２の直径よりも大きな直径の円弧で、この円弧の幅が最大になった直径の幅で下側へ切り欠かれている。
５１はコロを示し、第１継手３１の円形孔３２ａの直径よりも小さく、また、第２継手４１の凹部４１ａの幅（凹部４１ａの円弧の直径）よりも小さい直径の円柱からなる軸部５２と、この軸部５２の一端に設けられ、第１継手３１の円形孔３２ａの直径よりも大きな頭部５３とで構成されている。
そして、コロ５１は、軸部５２の頭部５３と反対側に設けられた貫通孔５２ａに挿通され、軸部５２が第１継手３１の円形孔３２ａから横方向（水平方向）抜けるのを阻止する止めピン５４により、第１継手３１に転動可能に取り付けられる。
【００１２】
図２（ａ），（ｂ）において、６１は壁面パネルを示し、例えば、横が８００ｍｍの長さで、縦が２５０ｍｍの高さで、奥行き（厚み）が３５ｍｍとされている。
そして、壁面パネル６１の裏面には、例えば、左端から２００ｍｍ（全体の長さの１／４）の位置と、右端から２００ｍｍ（全体の長さの１／４）の位置とで、上端から５０ｍｍ（全体の高さの１／５）の位置と、下端から５０ｍｍ（全体の高さの１／５）の位置との４個所に、凹部４１ａが壁面パネル６１の裏面に突出するように、第２継手４１がその一部を埋め込んで取り付けられている。
【００１３】
次に、壁面パネル６１の取付の一例について説明する。
まず、支柱材２１を、図３（ａ），（ｂ）に示すように、４００ｍｍの間隔に立てた状態に設ける。
なお、断熱遮音壁構造とする場合は、図３（ａ），（ｂ）に示すように、内壁パネル１１の外面に支柱材２１を取付ねじ２２（図４および図５参照）で４００ｍｍの間隔に取り付ける。
そして、各支柱材２１の、下端から５０ｍｍおよび２００ｍｍの高さと、この５０ｍｍおよび２００ｍｍに順次２５０ｍｍを加えた高さとに、図４および図５に示すように、第１継手３１をボルト３３およびナット３４で取り付けた後、２つの支持片３２Ａの円形孔３２ａにコロ５１の軸部５２を挿通し、支持片３２Ａから突出した軸部５２に設けられている貫通孔５２ａに止めピン５４を挿通させて取り付けることにより、第１継手３１の円形孔３２ａに軸部５２を、図６（ａ）に示すように、転動可能に取り付ける。
または、２つの支持片３２Ａの円形孔３２ａにコロ５１の軸部５２を挿通し、支持片３２Ａから突出した軸部５２に設けられている貫通孔５２ａに止めピン５４を挿通させて取り付けることにより、第１継手３１の円形孔３２ａに軸部５２を、図６（ａ）に示すように、転動可能に取り付けた第１継手３１を、各支柱材２１の、下端から５０ｍｍおよび２００ｍｍの高さと、この５０ｍｍおよび２００ｍｍに順次２５０ｍｍを加えた高さとに、図４および図５に示すように、ボルト３３およびナット３４で取り付ける。
【００１４】
次に、壁面パネル６１の裏面に取り付けられている４つの第２継手４１を、例えば、図３（ａ）の下側の右端側に上下左右に位置する４つのコロ５１の軸部５２に乗せ掛け、各第２継手４１の凹部４１ａ内に軸部５２をそれぞれ位置させて第１継手３１と第２継手４１とに軸部５２を狭持させることにより、支柱材２１に壁面パネル６１を取り付けることができ、軸部５２は、図６（ｂ）に示すように、第２継手４１の凹部４１ａに転動可能に収容される。
以後、先に取り付けた壁面パネル６１の左側へ順次並べるように壁面パネル６１を支柱材２１に取り付け、二段目、三段目も順次同様に壁面パネル６１を支柱材２１に取り付けることにより、図３（ａ），（ｂ）に示すように、支柱材２１に壁面パネル６１を隙間なく取り付けることができる。
【００１５】
このようにしてコロ５１を介して第１継手３１に第２継手４１を取り付けると、第１継手３１の円形孔３２ａがコロ５１の軸部５２の直径よりも大きいので、図６（ａ）に示すように、軸部５２は円形孔３２ａの最下部に転動可能に位置決めされ、また、第２継手４１の凹部４１ａの上側がコロ５１の軸部５２の直径よりも大きい円弧なので、図６（ｂ）に示すように、軸部５２は凹部４１ａの最上部に転動可能に位置決めされる。
したがって、地震や音圧による振動などが壁面パネル６１に作用しない通常の状態では、支柱材２１（内壁パネル１１）と壁面パネル６１との間隔を一定に保つことができる。
【００１６】
次に、コロ５１の作用について説明する。
上述したように、コロ５１を介して第１継手３１に第２継手４１を取り付けると、図７に示すように、第２継手４１とコロ５１とが線（または点）接触になるとともに、コロ５１と第１継手３１とが線（または点）接触になり、第２継手４１とコロ５１、および、コロ５１と第１継手３１との接触部分が少なくなるので、壁面パネル６１に作用する熱は支柱材２１（内壁パネル１１）へ伝達されにくくなり、断熱効果が得られる。
また、図７に示すように、コロ５１が転動することにより、第１継手３１に対して第２継手４１が移動するので、地震や音圧による振動の伝達をコロ５１の転動で逃がすことによって免震構造となり、これまで困難であった地震波や低周波音の遮断特性が向上し、遮音効果が得られる。
【００１７】
この発明の第１実施例によれば、コロ５１が転動する第１継手３１および第２継手４１で躯体に対して壁面パネル６１を取り付けるので、コロ５１と第１継手３１および第２継手４１とが線接触となって接触部分少なくなることにより、熱が伝達されにくくなり、断熱効果が得られる。
また、コロ５１が転動することにより、第１継手３１に対して第２継手４１が移動するので、地震や音圧による振動の伝達をコロ５１の転動で逃がすことによって免震構造となり、これまで困難であった地震波や低周波音の遮音効果が得られる。
さらに、第１継手３１の円形孔３２ａ（保持部）、および、第２継手４１の凹部４１ａの、所定位置にコロ５１を転動可能に位置決めするので、地震や音圧による振動などが壁面パネル６１に作用しない通常の状態では、支柱材２１（躯体）と壁面パネル６１との間隔を一定に保つことができる。
【００１８】
図８はこの発明の第２実施例である壁面パネルの取付方法に使用する第１継手、第２継手、コロなどを示す分解斜視図であり、図１〜図７と同一または相当部分に同一符号を付し、その説明を省略する。
【００１９】
図８において、第１継手３１の２つの支持片３２Ａには、保持部として機能する上側へ開放する凹部３２ｂが同一中心線上に設けられている。
この凹部３２ｂは、下側が、コロ５１を構成する軸部５２の直径よりも大きな直径の円弧で、この円弧の幅が最大になった円弧の直径の幅で上側へ切り欠かれている。
したがって、第１継手３１は、凹部３２ｂの最下部でコロ５１の軸部５２と線（または点）接触となり、凹部３２ｂの最下部に軸部５２を転動可能に位置決めする。
【００２０】
この第２実施例の第１継手３１を使用して壁面パネルを取り付ける場合は、止めピン５４を取り付けたコロ５１の軸部５２を２つの支持片３２Ａの凹部３２ｂ内へ上側から落とし込む（挿入する）ことにより、コロ５１を第１継手３１に、横方向（水平方向）へ抜けないように簡単に取り付けることができる。
なお、上記したコロ５１の取付方法以外の、壁面パネルの取付方法、コロ５１の作用、効果などは、第１実施例と同様になるので、その説明を省略する。
【００２１】
図９はこの発明の第３実施例である壁面パネルの取付方法に使用する第１継手、第２継手、コロなどを示す分解斜視図であり、図１〜図８と同一または相当部分に同一符号を付し、その説明を省略する。
【００２２】
図９において、図２に示すように、壁面パネル６１の裏面に突出させて取り付けられる第２継手４１には、コロ５１の軸部５２よりも大きな直径の円形孔４１ｂが設けられている。
したがって、第２継手４１は、円形孔４１ｂの最下部でコロ５１の軸部５２と線（または点）接触となり、円形孔４１ｂの最上部に軸部５２を転動可能に位置決めする。
【００２３】
この第３実施例の第２継手４１を使用して壁面パネルを取り付ける場合は、第１継手３１の２つの円形孔３２ａの間に円形孔４１ｂを位置させるとともに、各円形孔３２ａ，４１ｂを同一中心線上に位置させた状態で、コロ５１の軸部５２を一方の円形孔３２ａから円形孔４１ｂ、他方の円形孔３２ａへと挿通し、他方の円形孔３２ａから突出した軸部５２に設けられている貫通孔５２ａに止めピン５４を取り付けることにより、第１継手３１にコロ５１を介して第２継手４１（壁面パネル）を取り付けることができる。
なお、上記したコロ５１の取付方法以外の、壁面パネルの取付方法、コロ５１の作用、効果などは、第１実施例と同様になるので、その説明を省略する。
【００２４】
図１０はこの発明の第４実施例である壁面パネルの取付方法に使用する第１継手、第２継手、コロなどを示す分解斜視図であり、図１〜図９と同一または相当部分に同一符号を付し、その説明を省略する。
【００２５】
この第１継手３１および第２継手４１を使用して壁面パネルを取り付ける場合は、例えば、第１継手４１の円形孔４１ｂにコロ５１の軸部５２を挿通し、貫通孔５２ａに止めピン５４を取り付けてコロ５１を第２継手４１に取り付けた状態で、２つの支持片３２の間に第２継手４１を位置させるとともに、軸部５２を２つの凹部３２ｂ内へ挿入することにより、第１継手３１にコロ５１を介して第２継手４１（壁面パネル）を取り付けることができる。
なお、上記した第２継手４１の取付方法以外の、壁面パネルの取付方法、コロ５１の作用、効果などは、第１実施例と同様になるので、その説明を省略する。
【００２６】
図１１はこの発明の第５実施例である壁面パネルの取付方法に使用する第１継手、第２継手、コロなどを示す分解斜視図であり、図１〜図１０と同一または相当部分に同一符号を付し、その説明を省略する。
【００２７】
図１１において、第１継手３１は、図２に示す４つの第２継手４１に換えて壁面パネル６１に埋め込んだ雌ねじ筒３４Ａにボルト３３を螺合させることにより、壁面パネル６１の裏面に取り付けられる。
４２は第２継手を示し、縦方向（垂直方向）に起立する矩形状の支持片４３Ａと、この支持片４３Ａの一端（後端）から、例えば、右側へ支持片４３Ａに対して直交するように延びた矩形状の取付片４３Ｂとで構成され、第１実施例〜第４実施例の第１継手に換えて支柱材２１に、ボルト４４およびナット４５によって取付片４３Ｂで取り付けられる。
そして、支持片４３Ａには、下側が、コロ５１を構成する軸部５２の直径よりも大きな直径の円弧で、この円弧の幅が最大になった円弧の直径の幅で上側へ切り欠かれた凹部４３ａが設けられている。
したがって、第２継手４２は、凹部４３ａの最下部でコロ５１の軸部５２と線（または点）接触となり、凹部４３ａの最下部に軸部５２を転動可能に位置決めする。
【００２８】
次に、壁面パネル６１の取付の一例について説明する。
まず、支柱材２１を、図３（ａ），（ｂ）に示すように、４００ｍｍの間隔に立てた状態に設ける。
なお、断熱遮音壁構造とする場合は、図３（ａ），（ｂ）に示すように、内壁パネル１１の外面に支柱材２１を取付ねじ２２で４００ｍｍの間隔に取り付ける。
そして、各支柱材２１の、下端から５０ｍｍおよび２００ｍｍの高さと、この５０ｍｍおよび２００ｍｍに順次２５０ｍｍを加えた高さとに、図４および図５に示すように、第２継手４２をボルト４４およびナット４５で取り付ける。
【００２９】
次に、壁面パネル６１の裏面に取り付けられている４つの第１継手３１の２つの支持片３２Ａの円形孔３２ａにコロ５１の軸部５２を挿通し、支持片３２Ａから突出した軸部５２に設けられている貫通孔５２ａに止めピン５４を取り付けることにより、第１継手３１の円形孔３２ａに軸部５２を、図６（ａ）に示すように、転動可能に取り付けた後、例えば、図３（ａ）の下側の右端側に上下左右に位置する４つの第２継手４２に各軸部５２を乗せ掛け、各第２継手４２の凹部４３ａ内に軸部５２をそれぞれ位置させて第１継手３１と第２継手４２とに軸部５２を狭持させることにより、支柱材２１に壁面パネル６１を取り付けることができ、図６（ｂ）に示すように、軸部５２は第２継手４２の凹部４３ａに転動可能に収容される。
以後、先に取り付けた壁面パネルの左側へ順次並べるように壁面パネル６１を支柱材２１に取り付け、二段目、三段目も順次同様に壁面パネル６１を支柱材２１に取り付けることにより、図３（ａ），（ｂ）に示すように、支柱材２１に壁面パネル６１を隙間なく取り付けることができる。
【００３０】
このようにしてコロ５１を介して第２継手４２に第１継手３１を取り付けると、第２継手４２の凹部４３ａの下側がコロ５１の軸部５２の直径よりも大きい円弧なので、軸部５２は凹部４３ａの最下部に転動可能に位置決めされ、また、第１継手３１の円形孔３２ａがコロ５１の軸部５２の直径よりも大きいので、軸部５２は円形孔３２ａの最上部に転動可能に位置決めされる。
なお、コロ５１の作用は、先の実施例と同様になるので、その説明を省略する。
【００３１】
この第５実施例においても、先の実施例と同様な効果を得ることができる。
【００３２】
図１２はこの発明の第６実施例である壁面パネルの取付方法に使用する第１継手、第２継手、コロなどを示す分解斜視図であり、図１〜図１１と同一または相当部分に同一符号を付し、その説明を省略する。
【００３３】
図１２において、第１継手３１は、図２に示す４つの第２継手４１に換えて壁面パネル６１に埋め込んだ雌ねじ筒３４Ａにボルト３３を螺合させることにより、壁面パネル６１の裏面に取り付けられる。
第２継手４２の支持片４３Ａには、コロ５１を構成する軸部５２の直径よりも大きな円形孔４３ｂが設けられている。
したがって、第２継手４２は、円形孔４３ｂの最下部でコロ５１の軸部５２と線（または点）接触となり、円形孔４３ｂの最下部に軸部５２を転動可能に位置決めする。
【００３４】
この第６実施例の第１継手３１および第２継手４２を使用して壁面パネル６１を取り付ける場合は、第１継手３１の２つの円形孔３２ａの間に第２継手４２の円形孔４３ｂを位置させるとともに、各円形孔３２ａ，４３ｂを同一中心線上に位置させた状態で、コロ５１の軸部５２を一方の円形孔３２ａから円形孔４３ｂ、他方の円形孔３２ａへと挿通し、他方の円形孔３２ａから突出した軸部５２に設けられている貫通孔５２ａに止めピン５４を取り付けることにより、第２継手４２にコロ５１を介して第１継手３１（壁面パネル６１）を取り付けることができる。
なお、上記したコロ５１の取付方法以外の、壁面パネル６１の取付方法、コロ５１の作用、効果などは、第５実施例と同様になるので、その説明を省略する。
【００３５】
図１３はこの発明の第７実施例である壁面パネルの取付方法に使用する第１継手、第２継手、コロなどを示す分解斜視図、図１４（ａ）はこの発明の第７実施例である壁面パネルの取付方法で使用する壁面パネルの裏面図、図１４（ｂ）は図１４（ａ）に示した壁面パネルの右側面図、図１５（ａ）はこの発明の第７実施例である壁面パネルの取付方法で壁面パネルを取り付けた状態の正面図に相当する説明図、図１５（ｂ）は図１５（ａ）に示した壁面パネルを取り付けた状態の拡大右側面図に相当する説明図、図１６はこの発明の第７実施例である壁面パネルの取付方法で壁面パネルを取り付けた状態の平面図に相当する説明図、図１７はこの発明の第７実施例である壁面パネルの取付方法で壁面パネルを取り付けた状態の右側面図に相当する説明図であり、図１〜図１２と同一または相当部分に同一符号を付し、その説明を省略する。
【００３６】
図１３において、４６は第２継手を示し、縦方向（垂直方向）へ一定幅で延びる支持片４７Ａと、この支持片４７Ａの一端（前端）から、例えば、左側へ支持片４７Ａに対して直交するように延び、縦方向（垂直方向）へ一定幅で延びる取付片４７Ｂとからなるアングル材で構成され、取付片４７Ｂに、図１４に示す壁面パネル６１が、図１５（ａ），（ｂ）に示すように、ボルト６２およびナット６３によって取り付けられる。
そして、支持片４７Ａには、後側端面に開放した凹部４７ａが所定間隔で垂直方向に設けられている。
この凹部４７ａは、上側がコロ５１を構成する軸部５２の直径よりも大きな直径の円弧で、この円弧の幅が最大になった円弧の直径の幅で下側へ延びた後、同じ幅で支持片４７Ａの後側端面まで延びたＬ字状に切り欠かれている。
したがって、第２継手４６は、凹部４７ａの最上部でコロ５１の軸部５２と線（または点）接触となり、凹部４７ａの最上部に軸部５２を転動可能に位置決めする。
また、取付片４７Ｂには、例えば、下端から１２５ｍｍの高さと、この１２５ｍｍに順次２５０ｍｍを加えた高さとに、取付孔４７ｃが設けられている。
【００３７】
図１４（ａ），（ｂ）において、壁面パネル６１は、例えば、横が８００ｍｍの長さで、縦が２５０ｍｍの高さで、奥行き（厚み）が３５ｍｍとされている。
そして、壁面パネル６１の裏面には、例えば、左端から２００ｍｍ（全体の長さの１／４）の位置と、右端から２００ｍｍ（全体の長さの１／４）の位置とで、上端および下端から１２５ｍｍ（全体の高さの１／２）の位置の２個所に、軸部が壁面パネル６１の裏面に突出するように、ボルト６２がその頭部側を埋め込んで取り付けられている。
【００３８】
次に、壁面パネル６１の取付の一例について説明する。
まず、支柱材２１を、図１５（ａ），（ｂ）に示すように、４００ｍｍの間隔に立てた状態に設ける。
なお、断熱遮音壁構造とする場合は、図１５（ａ），（ｂ）に示すように、内壁パネル１１の外面に支柱材２１を取付ねじ２２（図１６および図１７参照）で４００ｍｍの間隔に取り付ける。
そして、各支柱材２１に第１継手３１を、図１６および図１７に示すように、ボルト３３およびナット３４で所定間隔に縦方向（垂直方向）へ取り付けた後、２つの支持片３２Ａの円形孔３２ａにコロ５１の軸部５２を挿通し、支持片３２Ａから突出した軸部５２に設けられている貫通孔５２ａに止めピン５４を挿通させて取り付けることにより、第１継手３１の円形孔３２ａに軸部５２を、図６（ａ）に示すように、転動可能に取り付ける。
または、２つの支持片３２Ａの円形孔３２ａにコロ５１の軸部５２を挿通し、支持片３２Ａから突出した軸部５２に設けられている貫通孔５２ａに止めピン５４を挿通させて取り付けることにより、第１継手３１の円形孔３２ａに軸部５２を、図６（ａ）に示すように、転動可能に取り付けた第１継手３１を、各支柱材２１に、図１６および図１７に示すように、ボルト３３およびナット３４で取り付ける。
【００３９】
次に、第２継手４６の支持片４７Ａに設けられている各凹部４７ａ内に、各支柱材２１に所定間隔（２５０ｍｍ間隔）で縦方向（垂直方向）へ取り付けられたコロ５１の軸部５２を挿入させ、軸部５２に第２継手４６を乗せ掛け、各凹部４７ａ内に軸部５２をそれぞれ位置させて第１継手３１と第２継手４６とに軸部５２を狭持させることにより、各支柱材２１に第２継手４６を取り付けることができ、軸部５２は、図６（ｂ）に示すように、第２継手４６の凹部４７ａに転動可能に収容される。
そして、例えば、図１５（ａ）の右端側に位置する２つの第２継手４６の取付片４７Ｂに設けられている下側の取付孔４７ｃに、壁面パネル６１に取り付けられているボルト６２を取付片４７Ｂの表側から挿通し、取付片４７Ｂの裏側へ突出したボルト６２にナット６３を螺合させることにより、第２継手４６に壁面パネル６１を取り付ける。
以後、先に取り付けた壁面パネル６１の左側へ順次並べるように壁面パネル６１を第２継手４６に取り付け、二段目、三段目も順次同様に壁面パネル６１を第２継手４６に取り付けることにより、図１５（ａ），（ｂ）に示すように、第２継手４６に壁面パネル６１を隙間なく取り付けることができる。
【００４０】
このようにしてコロ５１を介して第１継手３１に第２継手４６を取り付けると、第１継手３１の円形孔３２ａがコロ５１の軸部５２の直径よりも大きいので、図６（ａ）に示すように、軸部５２は円形孔３２ａの最下部に転動可能に位置決めされ、また、第２継手４６の凹部４７ａの上側がコロ５１の軸部５２の直径よりも大きい円弧なので、図６（ｂ）に示すように、軸部５２は凹部４７ａの最上部に転動可能に位置決めされる。
したがって、地震や音圧による振動などが壁面パネル６１に作用しない通常の状態では、支柱材２１（内壁パネル１１）と壁面パネル６１との間隔を一定に保つことができる。
【００４１】
次に、コロ５１の作用について説明する。
上述したように、コロ５１を介して第１継手３１に第２継手４６を取り付けると、図７に示すように、第２継手４６とコロ５１とが線（または点）接触になるとともに、コロ５１と第１継手３１とが線（または点）接触になり、第２継手４６とコロ５１、および、コロ５１と第１継手３１との接触部分が少なくなるので、壁面パネル６１に作用する熱は支柱材２１（内壁パネル１１）へ伝達されにくくなり、断熱効果が得られる。
また、図７に示すように、コロ５１が転動することにより、第１継手３１に対して第２継手４６が移動するので、地震や音圧による振動の伝達をコロ５１の転動で逃がすことによって免震構造となり、これまで困難であった地震波や低周波音の遮断特性が向上し、遮音効果が得られる。
【００４２】
この発明の第７実施例によれば、コロ５１が転動する第１継手３１および第２継手４６で躯体に対して壁面パネル６１を取り付けるので、コロ５１と第１継手３１および第２継手４６とが線接触となって接触部分少なくなることにより、熱が伝達されにくくなり、断熱効果が得られる。
また、コロ５１が転動することにより、第１継手３１に対して第２継手４６が移動するので、地震や音圧による振動の伝達をコロ５１の転動で逃がすことによって免震構造となり、これまで困難であった地震波や低周波音の遮音効果が得られる。
さらに、第１継手３１の円形孔３２ａ（保持部）、および、第２継手４６の凹部４７ａの、所定位置にコロ５１を転動可能に位置決めするので、地震や音圧による振動などが壁面パネル６１に作用しない通常の状態では、支柱材２１（躯体）と壁面パネル６１との間隔を一定に保つことができる。
【００４３】
図１８はこの発明の第８実施例である壁面パネルの取付方法に使用する第１継手、第２継手、コロなどを示す分解斜視図であり、図１〜図１７と同一または相当部分に同一符号を付し、その説明を省略する。
【００４４】
この第８実施例の第１継手３１を使用して壁面パネルを取り付ける場合は、止めピン５４を取り付けたコロ５１の軸部５２を２つの支持片３２Ａの凹部３２ｂ内へ上側から落とし込む（挿入する）ことにより、コロ５１を第１継手３１に、横方向（水平方向）へ抜けないように簡単に取り付けることができる。
なお、上記したコロ５１の取付方法以外の、壁面パネルの取付方法、コロ５１の作用、効果などは、第７実施例と同様になるので、その説明を省略する。
【００４５】
図１９はこの発明の第９実施例である壁面パネルの取付方法に使用する第１継手、第２継手、コロなどを示す分解斜視図であり、図１〜図１８と同一または相当部分に同一符号を付し、その説明を省略する。
【００４６】
図１９において、第２継手４６の支持片４７Ａには、図１３に示す凹部４７ａに換えて、コロ５１の軸部５２よりも大きな直径の円形孔４７ｂが設けられている。
したがって、第２継手４６は、円形孔４７ｂの最下部でコロ５１の軸部５２と線（または点）接触となり、円形孔４７ｂの最上部に軸部５２を転動可能に位置決めする。
【００４７】
この第９実施例の第２継手４６を使用して壁面パネルを取り付ける場合は、第１継手３１の２つの円形孔３２ａの間に円形孔４７ｂを位置させるとともに、各円形孔３２ａ，４７ｂを同一中心線上に位置させた状態で、コロ５１の軸部５２を一方の円形孔３２ａから円形孔４７ｂ、他方の円形孔３２ａへと挿通し、他方の円形孔３２ａから突出した軸部５２に設けられている貫通孔５２ａに止めピン５４を取り付けることにより、第１継手３１にコロ５１を介して第２継手４６を取り付けることができる。
なお、上記したコロ５１の取付方法以外の、壁面パネルの取付方法、コロ５１の作用、効果などは、第７実施例と同様になるので、その説明を省略する。
【００４８】
図２０はこの発明の第１０実施例である壁面パネルの取付方法に使用する第１継手、第２継手、コロなどを示す分解斜視図であり、図１〜図１９と同一または相当部分に同一符号を付し、その説明を省略する。
【００４９】
この第１継手３１および第２継手４６を使用して壁面パネルを取り付ける場合は、例えば、支持片４７Ａの円形孔４７ｂにコロ５１の軸部５２を挿通し、貫通孔５２ａに止めピン５４を取り付けてコロ５１を第２継手４６に取り付けた状態で、２つの支持片３２の間に支持片４７Ａを位置させるとともに、軸部５２を２つの凹部３２ｂ内へ挿入することにより、第１継手３１にコロ５１を介して第２継手４６を取り付けることができる。
なお、上記した第２継手４１の取付方法以外の、壁面パネルの取付方法、コロ５１の作用、効果などは、第７実施例と同様になるので、その説明を省略する。
【００５０】
上記した実施例では、第１継手３１および第２継手４１，４２を１組の締結具（ボルト、ナット）で取り付けたが、第１継手３１および第２継手４１，４２を複数組の締結具で回動したり、揺動しないように取り付けるのが望ましい。
また、壁面パネル６１の裏面に断熱材を配置したり、内壁パネル１１と壁面パネル６１と間に断熱材を充填しない例を示したが、壁面パネル６１の裏面に断熱材を配置したり、内壁パネル１１と壁面パネル６１と間に断熱材を充填することにより、さらに断熱効果を得ることができる。
また、第１実施例、第３実施例、第７実施例および第９実施例では第１継手３１を個々に構成した例を示したが、図２１（ａ）に示すように、縦方向（垂直方向）に複数を連結させて一体に構成し、第１実施例または第３実施例の場合は円形孔３２ａの間隔を、下端から５０ｍｍおよび２００ｍｍの高さと、この５０ｍｍおよび２００ｍｍに順次２５０ｍｍを加えた高さとにし、第７実施例または第９実施例の場合は円形孔３２ａの間隔を２５０ｍｍにするとよい。
また、第２実施例、第４実施例、第８実施例および第１０実施例では第１継手３１を個々に構成した例を示したが、図２１（ｂ）に示すように、縦方向（垂直方向）に複数を連結させて一体に構成し、第２実施例または第４実施例の場合は凹部３２ｂの間隔を、下端から５０ｍｍおよび２００ｍｍの高さと、この５０ｍｍおよび２００ｍｍに順次２５０ｍｍを加えた高さとにし、第８実施例または第１０実施例の場合は凹部３２ｂの間隔を２５０ｍｍにするとよい。
なお、図２１（ｂ）に示した凹部３２ｂの横方向部分（水平部分）は、縦方向（垂直方向）へ延びた幅で支持片３２Ａの前側端面まで延びている。
また、第５実施例では第２継手４２を個々に構成した例を示したが、図２２（ａ）に示すように、縦方向（垂直方向）に複数を連結させて一体に構成し、凹部４３ａの間隔を、下端から５０ｍｍおよび２００ｍｍの高さと、この５０ｍｍおよび２００ｍｍに順次２５０ｍｍを加えた高さとにするとよい。
なお、図２２（ａ）に示した凹部４３ａの横方向部分（水平部分）は、縦方向（垂直方向）へ延びた幅で支持片４３Ａの前側端面まで延びている。
また、第６実施例では第２継手４２を個々に構成した例を示したが、図２２（ｂ）に示すように、縦方向（垂直方向）に複数を連結させて一体に構成し、円形孔４３ｂの間隔を、下端から５０ｍｍおよび２００ｍｍの高さと、この５０ｍｍおよび２００ｍｍに順次２５０ｍｍを加えた高さとにするとよい。
【図面の簡単な説明】
【００５１】
【図１】この発明の第１実施例である壁面パネルの取付方法に使用する第１継手、第２継手、コロなどを示す分解斜視図である。
【図２】（ａ）はこの発明の第１実施例である壁面パネルの取付方法で使用する壁面パネルの裏面図、（ｂ）は図２（ａ）に示した壁面パネルの右側面図である。
【図３】（ａ）はこの発明の第１実施例である壁面パネルの取付方法で壁面パネルを取り付けた状態の正面図に相当する説明図、（ｂ）は図３（ａ）に示した壁面パネルを取り付けた状態の右側面図に相当する説明図である。
【図４】この発明の第１実施例である壁面パネルの取付方法で壁面パネルを取り付けた状態の平面図に相当する説明図である。
【図５】この発明の第１実施例である壁面パネルの取付方法で壁面パネルを取り付けた状態の右側面図に相当する説明図である。
【図６】（ａ）はこの発明の第１実施例である壁面パネルの取付方法における第１継手とコロとの位置関係を示す説明図、（ｂ）はこの発明の第１実施例である壁面パネルの取付方法における第２継手とコロとの位置関係を示す説明図である。
【図７】コロのメカニズムを示す説明図である。
【図８】この発明の第２実施例である壁面パネルの取付方法に使用する第１継手、第２継手、コロなどを示す分解斜視図である。
【図９】この発明の第３実施例である壁面パネルの取付方法に使用する第１継手、第２継手、コロなどを示す分解斜視図である。
【図１０】この発明の第４実施例である壁面パネルの取付方法に使用する第１継手、第２継手、コロなどを示す分解斜視図である。
【図１１】この発明の第５実施例である壁面パネルの取付方法に使用する第１継手、第２継手、コロなどを示す分解斜視図である。
【図１２】この発明の第６実施例である壁面パネルの取付方法に使用する第１継手、第２継手、コロなどを示す分解斜視図である。
【図１３】この発明の第７実施例である壁面パネルの取付方法に使用する第１継手、第２継手、コロなどを示す分解斜視図である。
【図１４】（ａ）はこの発明の第７実施例である壁面パネルの取付方法で使用する壁面パネルの裏面図、（ｂ）は図１４（ａ）に示した壁面パネルの右側面図である。
【図１５】（ａ）はこの発明の第７実施例である壁面パネルの取付方法で壁面パネルを取り付けた状態の正面図に相当する説明図、（ｂ）は図１５（ａ）に示した壁面パネルを取り付けた状態の拡大右側面図に相当する説明図である。
【図１６】この発明の第７実施例である壁面パネルの取付方法で壁面パネルを取り付けた状態の平面図に相当する説明図である。
【図１７】この発明の第７実施例である壁面パネルの取付方法で壁面パネルを取り付けた状態の右側面図に相当する説明図である。
【図１８】この発明の第８実施例である壁面パネルの取付方法に使用する第１継手、第２継手、コロなどを示す分解斜視図である。
【図１９】この発明の第９実施例である壁面パネルの取付方法に使用する第１継手、第２継手、コロなどを示す分解斜視図である。
【図２０】この発明の第１０実施例である壁面パネルの取付方法に使用する第１継手、第２継手、コロなどを示す分解斜視図である。
【図２１】（ａ），（ｂ）は第１継手の他の例を示す斜視図である。
【図２２】（ａ），（ｂ）は第２継手の他の例を示す斜視図である。
【図２３】従来の壁面パネルの取付方法の一例を示す平面図に相当する説明図である。
【符号の説明】
【００５２】
１      内壁パネル（躯体）
２      支柱材（躯体）
３      取付ねじ（タップねじ）
４      壁面パネル
５      断熱材
６      取付ねじ（タップねじ）
１１    内壁パネル（躯体）
２１    支柱材（躯体）
２２    取付ねじ（タップねじ）
３１    第１継手
３２Ａ  支持片
３２ａ  円形孔（保持部）
３２ｂ  凹部（保持部）
３２Ｂ  取付片
３３    ボルト
３４    ナット
３４Ａ  雌ねじ筒
４１    第２継手
４１ａ  凹部
４１ｂ  円形孔
４２    第２継手
４３Ａ  支持片
４３ａ  凹部
４３ｂ  円形孔
４３Ｂ  取付片
４４    ボルト
４５    ナット
４６    第２継手
４７Ａ  支持片
４７ａ  凹部
４７ｂ  円形孔
４７Ｂ  取付片
４７ｃ  取付孔
５１    コロ
５２    軸部
５２ａ  貫通孔
５３    頭部
５４    止めピン
６１    壁面パネル
６２    ボルト
６３    ナット
【図１】
0004700558.tif 000002
【図２】
0004700558.tif 000003
【図３】
0004700558.tif 000004
【図４】
0004700558.tif 000005
【図５】
0004700558.tif 000006
【図６】
0004700558.tif 000007
【図７】
0004700558.tif 000008
【図８】
0004700558.tif 000009
【図９】
0004700558.tif 000010
【図１０】
0004700558.tif 000011
【図１１】
0004700558.tif 000012
【図１２】
0004700558.tif 000013
【図１３】
0004700558.tif 000014
【図１４】
0004700558.tif 000015
【図１５】
0004700558.tif 000016
【図１６】
0004700558.tif 000017
【図１７】
0004700558.tif 000018
【図１８】
0004700558.tif 000019
【図１９】
0004700558.tif 000020
【図２０】
0004700558.tif 000021
【図２１】
0004700558.tif 000022
【図２２】
0004700558.tif 000023
【図２３】
0004700558.tif 000024